(57)【要約】【課題】  屋外で使用しても外から見えなくなっているので、下着泥棒等防止効果が期待できる。そして、屋外で使用しても雨天時に濡れることなく、また野鳥の糞害等に遭遇することなく効率良く乾燥させることができる回転機能を備えた物干し具を提供する。【解決手段】  物干し具１は、支柱２の上端に回転可能に取付けられて上面に複数の羽根部材Ｗが配設された円錐形状の傘Ｒと、この傘Ｒの外周縁下方に設けた吊り具５により周方向に開閉可能に懸吊支持されて複数の吊下げ杆４ａの周囲を覆うべく周方向に分割された一対のカーテン８と、このカーテン８下端の内周縁と上記支柱２の外周に内外周縁がそれぞれ取付けられ上記分割されたカーテン８ａ，８ｂ１，８ｂ２の開閉動作とともに開閉可能な底カバー１０とから成り、風力の作用で上記支柱２を中心として上記傘Ｒと共に回転するように構成されている。【選択図】  図１
0003115346.tif 000002
【実用新案登録請求の範囲】
【請求項１】
垂直に吊下げ又は自立支持される支柱２に複数の吊下げ杆４ａを水平放射状に取付け、これら吊下げ杆４ａに被乾燥物Ｅを吊下げ係止して乾燥する物干し具１であって、
上記物干し具１は、上記支柱２の上端に回転可能に取付けられて上面に複数の羽根部材Ｗが配設された円錐形状の傘Ｒと、この傘Ｒの外周縁下方に設けた吊り具５により周方向に開閉可能に懸吊支持されて上記複数の吊下げ杆４ａの周囲を覆うべく周方向に分割された一対のカーテン８と、このカーテン８下端の内周縁と上記支柱２の外周に内外周縁がそれぞれ取付けられ上記分割されたカーテン８ａ，８ｂ１，８ｂ２の開閉動作とともに開閉可能な底カバー１０とから成り、風力の作用で上記支柱２を中心として上記傘Ｒと共に回転するように構成されることを特徴とする回転機能を備えた物干し具。
【請求項２】
上記傘Ｒは、上記支柱２の上方とこれに近接する下方に一体化された一対の円板状の取付け支持板１２ａ，１２ｂが回転可能に支持され、これら上下の取付け支持板１２ａ，１２ｂ外周の等分割された接続部位に接線方向に一端が取付けられて放射方向に延出する複数の梁部材１８，２０から成る上下の梁部材郡を設けて成り、上記羽根部材Ｗは、上記梁部材郡における上梁部材１８と下梁部材２０、または上梁部材１８同士、下梁部材２０同士の一部に防水シートＳを選択的に接合して放射方向に稜線Ｔないし谷線Ｖが上記傘Ｒ全面に均等に形成されることを特徴とする請求項１記載の回転機能を備えた物干し具。
【請求項３】
上記支柱２は、懸吊支持される支柱２であって、上下端部にそれぞれ係止フックＦを備え上記傘Ｒを回転可能に支持する短尺の上部支柱２ａと、下端に設けた係止フックＦに係脱可能に懸吊支持され上方に上記複数の吊下げ杆４ａを取付けると共に下端に重錘１６を着脱可能に係止した下部支柱２ｂとから構成されることを特徴とする請求項１または２に記載の回転機能を備えた物干し具。
【請求項４】
垂直に吊下げ又は自立支持される支柱３２に複数の吊下げ杆３４ａを水平放射状に取付け、これら吊下げ杆３４ａに被乾燥物Ｅを吊下げ係止して乾燥する物干し具３０であって、
上記物干し具３０は、上記支柱３２の上端に回転可能に取付けられて上面に複数の羽根部材Ｗが配設された円錐形状の傘Ｒ１と、この傘Ｒ１直下の支柱３２に回転可能に支持された円板状の取付け支持板３５と、上記取付け支持板３５の外周から放射方向に延出し、この延出する方向に複数の洗濯バサミ３６が取付けられた複数の吊下げ杆３４ａとから構成されていることを特徴とする回転機能を備えた物干し具。
【請求項５】
垂直に吊下げ又は自立支持される支柱３２に複数の吊下げ杆４０ａを水平放射状に取付け、これら吊下げ杆４０ａに被乾燥物Ｅを吊下げ係止して乾燥する物干し具３８であって、
上記物干し具３８は、上記支柱３２の上端に回転可能に取付けられて上面に複数の羽根部材Ｗが配設された円錐形状の傘Ｒ１と、この傘Ｒ１直下の支柱３２に回転可能に支持された円板状の取付け支持板３５と、上記取付け支持板３５の外周から放射方向に延出した複数の吊下げ杆４０ａとから構成されていることを特徴とする回転機能を備えた物干し具。
【考案の詳細な説明】
【技術分野】
【０００１】
本考案は、回転機能を備えた物干し具であって、この物干し装置に吊下げられた洗濯物などに風力を利用して回転を与えるようにした回転機能を備えた物干し具に関する。
【背景技術】
【０００２】
従来から家庭において使用されている洗濯物の乾燥は、庭やベランダ、バルコニーなどで、物干し竿やロープなどに吊り下げられた洗濯物を自然乾燥により乾燥させているが、庭やベランダ、バルコニーなどが無い場合や、強風時、雨天時などは屋内で乾燥せざるを得ないので、屋内で種々の物干し具や乾燥機を使用して濡れた洗濯物を乾燥させていた。
【０００３】
従来から使用されている物干し具を分類すると、ハンガー式、ピンチ式、洗濯物を係止する係止バーを放射状または平行に取り付けた床上設置形式のものに分けられる。これらのものは、簡単な構造で場所を取らず、取扱いも容易であることから多くの家庭で使用されている。
【０００４】
ところで、上記の物干し具は、屋内における自然乾燥という条件下では、必然的に乾燥するのに時間を要し、特に雨天時や室内温度の低いときには乾燥時間が更に長くなることから乾燥時間を短縮することができる物干し具が望まれていた。
【０００５】
この種の物干し具は、自立型支柱に洗濯物を吊下げる係止バーを放射状に取り付け、支柱の上端に電動式の回転羽根を取付けたものが提案されている（特許文献１参照）。
【０００６】
【特許文献１】実用登録第３０５３２９３号公報
【考案の開示】
【考案が解決しようとする課題】
【０００７】
ところが、上記の物干し具では、乾燥時間を短縮することができる利点を有するものの、屋外で使用していた際に留守中に突然の降雨に遭遇したり、地域周辺の環境にもよるが野鳥の糞害により洗濯物が汚されて再度の洗濯を余儀なくされる問題が生じるだけでなく、物干し具に干されている下着類の被乾燥物が盗難に遭うなどの問題を有していた。
【０００８】
本考案は、このような問題点に着目してなされたもので、屋外で使用しても雨天時に濡れることなく、また野鳥の糞害等に遭遇することなく効率良く乾燥させることができる回転機能を備えた物干し具を提供することを目的とする。更に、屋外で使用しても外から見えなくなっているので、下着泥棒等防止効果が期待できることを目的とする。
【課題を解決するための手段】
【０００９】
上記目的を解決するために、本考案の請求項１に記載の回転機能を備えた物干し具は、垂直に吊下げ又は自立支持される支柱２に複数の吊下げ杆４ａを水平放射状に取付け、これら吊下げ杆４ａに被乾燥物Ｅを吊下げ係止して乾燥する物干し具１であって、上記物干し具１は、上記支柱２の上端に回転可能に取付けられて上面に複数の羽根部材Ｗが配設された円錐形状の傘Ｒと、この傘Ｒの外周縁下方に設けた吊り具５により周方向に開閉可能に懸吊支持されて上記複数の吊下げ杆４ａの周囲を覆うべく周方向に分割された一対のカーテン８と、このカーテン８下端の内周縁と上記支柱２の外周に内外周縁がそれぞれ取付けられ上記分割されたカーテン８ａ，８ｂ１，８ｂ２の開閉動作とともに開閉可能な底カバー１０とから成り、風力の作用で上記支柱２を中心として上記傘Ｒと共に回転するように構成されることを特徴とする回転機能を備えた物干し具である。
上記の回転機能を備えた物干し具１によれば、発生した風が複数の羽根部材Ｗに作用するとその風力作用により傘Ｒが支柱２を中心として回転することで上記カーテン８が傘Ｒと共に回転する。この風力作用により回転する傘Ｒにより外部の風が上記カーテン８内部に呼び込まれる。また、物干し具１に吊下げ係止される被乾燥物Ｅは上部ないし周囲は不透明な傘Ｒやカーテン８で覆われる。
【００１０】
本考案の請求項２に記載の回転機能を備えた物干し具は、上記傘Ｒが、上記支柱２の上方とこれに近接する下方に一体化された一対の円板状の取付け支持板１２ａ，１２ｂが回転可能に支持され、これら上下の取付け支持板１２ａ，１２ｂ外周の等分割された接続部位に接線方向に一端が取付けられて放射方向に延出する複数の梁部材１８，２０から成る上下の梁部材郡を設けて成り、上記羽根部材Ｗは、上記梁部材郡における上梁部材１８と下梁部材２０、または上梁部材１８同士、下梁部材２０同士の一部に防水シートＳを選択的に接合して放射方向に稜線Ｔないし谷線Ｖが上記傘Ｒ全面に均等に形成されることを特徴とする回転機能を備えた物干し具である。
上記の回転機能を備えた物干し具1によれば、上記羽根部材Ｗが、支柱２の上下に一体化されて回転可能に支持された円板状の取付け支持板１２ａ，１２ｂ外周の接線方向に一端が取付けられて放射方向に延出する複数の梁部材１８，２０から成る上下の梁部材郡によって構成されているので、羽根部材Ｗに当った風が上記支持板１２ａ，１２ｂの接線方向に作用する。
【００１１】
本考案の請求項３に記載の回転機能を備えた物干し具は、上記支柱２が、懸吊支持される支柱２であって、上下端部にそれぞれ係止フックＦを備え上記傘Ｒを回転可能に支持する短尺の上部支柱２ａと、下端に設けた係止フックＦに係脱可能に懸吊支持され上方に上記複数の吊下げ杆４ａを取付けると共に下端に重錘１６を着脱可能に係止した下部支柱２ｂとから構成されることを特徴とする回転機能を備えた物干し具である。
上記の回転機能を備えた物干し具1によれば、吊下げ杆４ａに被乾燥物Ｅを取付け取外しする際やこの吊下げ杆４ａを別の構造の吊下げ杆等と交換する際は、上部支柱２ａの下部係止フックＦから下部支柱２ｂを離脱させることができる。また、風力が強い場合は、下部支柱２ｂの下端に重錘１６を取付けることで支柱２ａ，２ｂが左右に大きく振られることが無く懸吊支持される。
【００１２】
本考案の請求項４に記載の回転機能を備えた物干し具３０は、垂直に吊下げ又は自立支持される支柱３２に複数の吊下げ杆３４ａを水平放射状に取付け、これら吊下げ杆３４ａに被乾燥物Ｅを吊下げ係止して乾燥する物干し具３０であって、上記物干し具３０は、上記支柱３２の上端に回転可能に取付けられて上面に複数の羽根部材Ｗ1が配設された円錐形状の傘Ｒ１と、この傘Ｒ１直下の支柱３２に回転可能に支持された円板状の取付け支持板３５と、上記取付け支持板３５の外周から放射方向に延出し、この延出する方向に複数の洗濯バサミ３６が取付けられた複数の吊下げ杆３４ａとから構成されていることを特徴とする回転機能を備えた物干し具である。
上記の回転機能を備えた物干し具３０によれば、風が発生した場合に、その風が複数の羽根部材Ｗ１に当るとその風力作用により傘Ｒ１が上記支柱３２を中心として回転すると共に、複数の洗濯バサミ３６を取付けた複数の吊下げ杆３４ａも上記支柱３２を中心として回転する。
【００１３】
本考案の請求項５に記載の回転機能を備えた物干し具３８は、垂直に吊下げ又は自立支持される支柱３２に複数の吊下げ杆４０ａを水平放射状に取付け、これら吊下げ杆４０ａに被乾燥物Ｅを吊下げ係止して乾燥する物干し具３８であって、上記物干し具３８は、上記支柱３２の上端に回転可能に取付けられて上面に複数の羽根部材Ｗが配設された円錐形状の傘Ｒ１と、この傘Ｒ１直下の支柱３２に回転可能に支持された円板状の取付け支持板３５と、上記取付け支持板３５の外周から放射方向に延出した複数の吊下げ杆４０ａとから構成されていることを特徴とする回転機能を備えた物干し具である。
上記の回転機能を備えた物干し具３８によれば、風が発生した場合に、その風が複数の羽根部材Ｗ１に当るとその風力作用により傘Ｒ１が支柱３２を中心として回転すると共に、放射方向に延出した複数の吊下げ杆４０ａも上記支柱３２を中心として回転する。
【考案の効果】
【００１４】
本考案は以下の効果を奏する。
【００１５】
請求項１に記載の考案によれば、発生した風が複数の羽根部材に当った際の風力作用により傘が支柱を中心として回転することでカーテンが傘と協働して回転するので、外部の風がカーテン内部に呼び込まれて、カーテン内部の空気に流動が生じこれが被乾燥物にあたり乾燥時間を早めることができる。また、吊下げ杆に吊下げ係止した被乾燥物は、その上部が傘で覆われ且つその周囲がカーテンにより覆われるので、雨天時に濡れることも無く鳥の糞害等も防止することができる。更に、屋外で使用しても外から見えなくなっているので、下着泥棒等防止効果が期待できる。
【００１６】
請求項２に記載の考案によれば、羽根部材が、支柱の上下に一体化されて回転可能に支持された円板状の取付け支持板外周の接線方向に一端が取付けられて放射方向に延出する複数の梁部材から成る上下の梁部材郡によって構成されているので、羽根部材に当った風の作用で上記支持板に接線方向に回転力が付与され、傘を効率良く回転することができる。
【００１７】
請求項３に記載の考案によれば、短尺の上部支柱下端に係止フックを介して複数の吊下げ杆が取付けられているので、被乾燥物を取付け取外しする際やこの吊下げ杆を別の構造の吊下げ杆等と交換する際は、容易にその作業を行うことができる。また、風力が強い場合は、下部支柱の下端に取付けた重錘により上記支柱が左右に大きく振られることが無く安定状態で懸吊支持される。
【００１８】
請求項４に記載の考案によれば、発生した風が複数の羽根部材に当った際の風力作用により傘が支柱を中心として回転することで、複数の洗濯バサミを取付けた複数の吊下げ杆も上記支柱を中心として回転されるので、洗濯バサミに取付けられた被嵌挿物を効率良く乾燥することができる。
【００１９】
請求項５に記載の考案によれば、発生した風が複数の羽根部材に当った際の風力作用により傘が支柱を中心として回転することで、放射方向に延出した複数の吊下げ杆が支柱を中心として回転するので、複数の吊下げ杆に吊下げ係止された被乾燥物としてのタオルなどを効率良く乾燥することができる。
【考案を実施するための最良の形態】
【００２０】
本考案の実施例を以下に説明する。
【実施例１】
【００２１】
以下、本考案の一実施例を、図面を参照しつつ説明する。図１〜図３は実施例に係る回転機能を備えた物干し具を示すものであって、図１は本考案に係る回転機能を備えた物干し具の実施例を示す全体斜視図、図２は上記実施例の回転機能を備えた物干し具の縦断面図、図３は上記実施例の回転機能を備えた物干し具の平面図、図４は上記実施例の回転機能を備えた物干し具のＡ−Ａ断面図である。
【００２２】
図１〜図３に示すように、回転機能を備えた物干し具（以下物干し具１と称する）は、ベランダの軒下や庭に設置される物干しの支柱や洗濯竿に係止して吊下げ支持される支柱２に複数の吊下げ杆４ａを水平放射状に取付けた既存の吊下げ具４（ハンガー）に被乾燥物Ｅ（洗濯物など）を吊下げ係止して乾燥するものであって、上記物干し具１は、上記支柱２の上方に回転可能に取付けられて上面に複数の羽根部材Ｗが配設された円錐形状の傘Ｒと、この傘Ｒの外周縁下方に複数の取付け片２３を介して取付けられた吊り具としての上部環状レール５と、この上部環状レール５に係止片６，７を介して懸吊支持されて上記ハンガー４の周囲を覆うカーテン８と、このカーテン８下端の内周縁と上記支柱２下方の外周に内外周縁がそれぞれ係止片６を介して取付けられて上記ハンガー４の下方を覆う底カバー１０とから構成されている。
【００２３】
詳しくは、上記支柱２は、上下にフックＦを設けた短尺の上部支柱２ａと、この上部支柱２ａの下端に係止される上下フックＦを備えた下部支柱２ｂと、この下部支柱２ｂ下端にフックＦを介して係止される重錘１６とから構成され、上部支柱２ａには傘Ｒが回転自在に支持されている。
【００２４】
上部支柱２ａには、図示しない軸受を内装したスリーブ１４がストッパ１５に係止されて回転自在に支持されている。スリーブ１４外周には、軸線方向上下に離間して一対の円板状の取付け支持板１２ａ，１２ｂが一体的に取付けられており、上部の取付け支持板１２ａ外周縁には、等分割された接続部位に図示しない継手を介して複数（本実施例では１６本）の上部梁部材１８の一端が接線方向に取付けられて放射方向に延出し、下部の取付け支持板１２ｂ外周縁には、等分割された接続部位に図示しない継手を介して複数（本実施例では１６本）の下部梁部材２０の一端が同じ接線方向に取付けられて放射方向に延出した梁部材郡が設けられている。
【００２５】
上部梁部材１８と下部梁部材２０の放射方向に延出した先端は、継手を介して互いに接合されており、上下に配置される上部梁部材１８と下部梁部材２０の上部には円形の防水シートＳ（ビニール製、または布製など）が全面に亘って張付けられており、この防水シートＳを上部梁部材１８と下部梁部材２０、または上部梁部材１８同士、下部梁部材２０同士の一部に上記防水シートＳを選択的に接合して放射方向に稜線Ｔないし谷線Ｖが上記傘Ｒの全面に均等に形成することで羽根部材Ｗが構成される。
【００２６】
上記下部支柱２ｂの上方には、被乾燥物Ｅを吊下げ係止する上記ハンガー４がホルダ２１を介して取付けられており、ハンガー４の周囲はカーテン８で覆われている。カーテン８は、ハンガー４の周囲を１８０度の範囲で覆う例えば不透明なビニール製の固定カーテン８ａと１８０度の範囲で移動可能な例えば不透明な布製の移動カーテン８ｂ１，８ｂ２とから構成されている。このようにすることによって、屋外で使用しても外から見えなくなっているので、下着泥棒等防止効果が期待できる。
【００２７】
固定カーテン８ａと移動カーテン８ｂ１，８ｂ２は、傘Ｒの外周縁下方に設けた上記上部環状レール５に係止片６，７を介して懸吊支持されており、両カーテン８ａ、８ｂ１，８ｂ２の下端には係止片９，１３を介して下部環状レール２２が水平に取付けられている。
【００２８】
移動カーテン８ｂ１，８ｂ２は、上部環状レール５と下部環状レール２２にリング状の係止片７，１３を介して移動可能に係止され、両環状レール５，２２に沿って互いに反対方向に移動することで例えば１８０度の範囲で観音開きに開閉するように構成されている。
【００２９】
これら移動カーテン８ｂ１，８ｂ２は、周方向の一端側は固定カーテン８ａの両端に接続されており、開閉端となる他端側には垂直な補強枠２４ａ，２４ｂが設けられている。これら補強枠２４ａ，２４ｂの対面する部位には連結具として例えば永久磁石（不図示）が設けられており、外側面上下には摘みＨが突設している。尚、上記連結具には、防犯用に簡単な鍵Ｋを付け、移動カーテン８ｂ１，８ｂ２の開閉をロックできるようになっている。勿論永久磁石を用いることなく、連結金具状のものに鍵を設けてもよい。
【００３０】
更に、上記ハンガー４の下方は、底カバー１０で覆われており、この底カバー１０は、固定底カバー１０ａと周方向に２分割された移動底カバー１０ｂ１，１０ｂ２とから構成されており、固定底カバー１０ａは、１８０度の範囲で扇形に形成されており、その外周縁は下部環状レール２２に係止片６を介して取付けられ、その内周縁は下部支柱２ｂの下方に支持されたホルダ２５から径方向内方に延出するアーム２６に取付けられて上記下部環状レール２２と同一面上に設けられた中央環状レール２８に係止片６を介して取付けられている。
【００３１】
移動底カバー１０ｂ１，１０ｂ２は、固定底カバー１０ａと同様に内、外周縁が中央環状レール２８と下部環状レール２２にリング状の係止片１３を介して取付けられると共に、それぞれの外周縁は、リング状の係止片１３を介して対応する移動カーテン８ｂ１，８ｂ２と共に取付けられている。
【００３２】
次に、物干し具１の作用に付き図１〜図３を参照して説明する。
【００３３】
発生した風が複数の羽根部材Ｗに作用する。すなわち、この風は上部の取付け支持板１２ａ外周縁に接線方向に取付けられ放射方向に延出する上部梁部材１８と、下部の取付け支持板１２ｂ外周縁に同じ接線方向に取付けられ放射方向に延出する下部梁部材２０に防水シートＳを張付けて構成される稜線Ｔないし谷線Ｖによってできる袋状の壁面によって構成される複数の羽根部材Ｗに作用する。
【００３４】
各羽根部材Ｗに当った風は、上部の取付け支持板１２ａないし下部の取付け支持板１２ｂの接線方向に作用することで、上記傘Ｒが上部支柱２ａを中心として回転し、固定カーテン８ａと移動カーテン８ｂ１，８ｂ２も傘Ｒと共に回転すると、この傘Ｒにより外部の風がカーテン８の内部に呼び込まれて、カーテン内部の空気に流動が生じこれが被乾燥物に当る。
【００３５】
また、移動カーテン８ｂ１，８ｂ２は開閉可能な構造になっているため、被乾燥物Ｅを取付け取外しする際や、このハンガー４を別の構造のハンガーと交換する際は、上記移動カーテン８ｂ１，８ｂ２を開放させて、上部支柱２ａのフックＦから上記ハンガー４を離脱させて外部に取り出して上記の作業が行われる。
【００３６】
従って、本実施例に係る回転機能を備えた物干し具によれば、複数の羽根部材Ｗに当った際の風力作用により傘Ｒが支柱２を中心として回転することで固定カーテン８ａと移動カーテン８ｂ１，８ｂ２が傘Ｒと協働して回転するので、外部の風が上記カーテン８ａ，８ｂ１，８ｂ２内部に呼び込まれ、このカーテン８ａ，８ｂ１，８ｂ２内部の空気に流動が生じてこれが被乾燥物Ｅにあたり乾燥時間を早めることができる。
【００３７】
また、ハンガー４に吊下げ係止された被乾燥物Ｅは、その上部が傘Ｒで覆われるとともにその周囲がカーテン８ａ，８ｂ１，８ｂ２により覆われるので、突然の降雨によっても濡れることも無く鳥の糞害等も防止することができる。更に、下部支柱２ｂの下端には重錘１６が係脱可能に係止されているので、風力が強い場合でも上記支柱２が左右に大きく振られることが無く安定状態で懸吊支持される。
【００３８】
なお、本考案の回転機能を備えた物干し具は、垂直に吊下げられる構造の支柱以外にも、自立形の支柱として構成することも可能であり、上記の構成に限定されるものではなく種々の構成のものを得ることができる。
【００３９】
次に、回転機能を備えた物干し具の変形例に付き説明する。なお、上記実施例と同一構成には同一符号を付してその説明を省略する。
【００４０】
図５から図７は、本変形例にかかる回転機能を備えた物干し具を示すものであって、図５は本変形例にかかる回転機能を備えた物干し具の縦断面図、図６は上記変形例の回転機能を備えた物干し具の平面図、図７は上記変形例の回転機能を備えた物干し具のＢ−Ｂ断面図である。
【００４１】
図５〜図７に示すように、本変形例では、上記実施例に係る物干し具１の傘Ｒと吊下げ具４の形態を変えたもので、上記実施例に対しカーテン８ないし底カバー１０を無くした構造とするものである。
【００４２】
本変形例の回転機能を備えた物干し具３０は、基本的な構成は上記実施例と同じであるが、上記実施例における傘Ｒの羽根部材Ｗがそれぞれ１６本の上部梁部材１８と下部梁部材２０で構成されているのに対し、本変形例における傘Ｒ１の羽根部材Ｗ１が８本の上部梁部材１８と下部梁部材２０から構成されているところを特徴としている。
【００４３】
すなわち、上面に複数の羽根部材Ｗ１を配設した円錐形状の傘Ｒ１は、長尺支柱３２の上部にスリーブ１４を介して上記実施例と同様に回転自在に支持されており、傘Ｒ直下の支柱３２上部には吊下げ具３４が回転可能に支持されている。
【００４４】
この吊下げ具３４は、支柱３２上部に取付けられた円板状の取付け支持板３５の外周から複数（本変形例では１６本）の吊下げ杆３４ａが放射方向に延出しており、これら吊下げ杆３４ａには、複数の洗濯バサミ３６が取付けられている。
【００４５】
このように構成された物干し具３０によれば、発生した風が複数の羽根部材Ｗ１に当った際の風圧作用により傘Ｒ１が支柱３２を中心として回転することで内部に呼び込まれた風が被乾燥物（不図示）に当り、複数の洗濯バサミ３６を取付けた複数の吊下げ杆３４ａが上記支柱３２を中心として回転されるので、洗濯バサミに取付けられた被嵌挿物を効率良く乾燥することができる効果を奏する。
【００４６】
次に、回転機能を備えた物干し具の別の変形例に付き説明する。なお、上記実施例と同一構成には同一符号を付してその説明を省略する。
【００４７】
図８は本変形例にかかる回転機能を備えた物干し具の縦断面図である。図８に示すように、本変形例では、上記実施例に係る物干し具１の傘Ｒと吊下げ具４の形態を変えたもので、上記実施例に対しカーテン８ないし底カバー１０を無くした構造とするものである。
【００４８】
本変形例の回転機能を備えた物干し具３８は、基本的な構成は上記実施例と同じであるが、上記実施例における傘Ｒの羽根部材Ｗがそれぞれ１６本の上部梁部材１８と下部梁部材２０で構成されているのに対し、本変形例における傘Ｒ１の羽根部材Ｗ１が８本の上部梁部材１８と下部梁部材２０から構成されているところを特徴としている。
【００４９】
傘Ｒ直下の支柱３２上部に回転可能に支持されている吊下げ具４０は、支柱３２上部に取付けられた円板状の取付け支持板３６と、この支持板３６外周から放射方向に延出した複数（本変形例では１６本）の吊下げ杆４０ａとから構成されている。
【００５０】
このように構成された物干し具３８によれば、発生した風が複数の羽根部材Ｗ１に当った風圧作用により傘Ｒ１が支柱３２を中心として回転されることで内部に呼び込まれた風が被乾燥物Ｅに当り、被乾燥物Ｅを吊下げ係止している複数の吊下げ杆４０ａが上記支柱３２を中心として回転されるので、上記被嵌挿物を効率良く乾燥することができる効果を奏する。
【図面の簡単な説明】
【００５１】
【図１】本考案に係る回転機能を備えた物干し具の実施例を示す全体斜視図である。
【図２】上記実施例の回転機能を備えた物干し具の縦断面図である。
【図３】上記実施例の回転機能を備えた物干し具の平面図である。
【図４】上記実施例の回転機能を備えた物干し具のＡ−Ａ断面図である。
【図５】変形例にかかる回転機能を備えた物干し具の縦断面図である。
【図６】上記変形例の回転機能を備えた物干し具の平面図である。
【図７】上記変形例の回転機能を備えた物干し具のＢ−Ｂ断面図である。
【図８】別の変形例にかかる回転機能を備えた物干し具の縦断面図である。
【符号の説明】
【００５２】
１                    物干し具（回転機能を備えた物干し具）
２                    支柱
２ａ                  上部支柱
２ｂ                  下部支柱
４                    ハンガー（吊下げ具）
４ａ                  吊下げ杆
５                    上部環状レール（吊り具）
６，７                係止片
８                    カーテン
８ａ                  固定カーテン
８ｂ１，８ｂ２        移動カーテン
９，１３              係止片
１０                  底カバー
１０ａ                固定底カバー
１０ｂ１，１０ｂ２    移動底カバー
１２ａ                上部の取付け支持板
１２ｂ                下部の取付け支持板
１４                  スリーブ
１５                  ストッパ
１６                  重錘
１８                  上部梁部材
２０                  下部梁部材
２１                  ホルダ
２２                  下部環状レール
２３                  取付け片
２４ａ，２４ｂ        補強枠
２５                  ホルダ
２６                  アーム
２８                  中央環状レール
３０                  物干し具
３２                  長尺支柱
３４                  吊下げ具
３４ａ                吊下げ杆
３５                  取付け支持板
３６                  洗濯バサミ
３８                  物干し具
４０                  吊下げ具
４０ａ                吊下げ杆
Ｅ                    被乾燥物
Ｆ                    フック
Ｒ，Ｒ１              傘
Ｓ                    防水シート
Ｔ                    稜線
Ｖ                    谷線
Ｗ，Ｗ１              羽根部材
Ｋ                    鍵
【図１】
0003115346.tif 000003
【図２】
0003115346.tif 000004
【図３】
0003115346.tif 000005
【図４】
0003115346.tif 000006
【図５】
0003115346.tif 000007
【図６】
0003115346.tif 000008
【図７】
0003115346.tif 000009
【図８】
0003115346.tif 000010